【事件の表示】
　特願２００６−３０２７７７「プリンタの切断装置」拒絶査定不服審判事件〔平成２０年　５月２９日出願公開、特開２００８−１１９８３８〕について、次のとおり審決する。
【結　論】
　本件審判の請求は、成り立たない。
【理　由】
第１．手続の経緯  
　本件出願は、平成１８年１１月８日の特許出願であって、同２３年１０月２７日付けで拒絶をすべき旨の査定がなされた。これに対し、平成２４年１月３０日に本件審判の請求がされるとともに手続補正書が提出され、同２４年７月６日付けで当審から拒絶の理由が通知され、同２４年８月２８日に意見書とともに特許請求の範囲及び明細書についてさらに手続補正書が提出されたものである。  
　  
第２．本願発明  
　本願の請求項１に係る発明は、平成２４年８月２８付け手続補正書によって補正された特許請求の範囲の請求項１に記載された事項により特定されるとおりのものと認めるところ、その記載は以下のとおりである。  
「【請求項１】
　プリンタ本体の媒体供給部より発行口側に繰り出される帯状の印字媒体側に刃先を向けてプリンタ本体の第１の支持フレームに取り付けられるとともに、進退動自在とした可動刃である第１のカッター刃と、
　前記プリンタ本体に対し開閉自在な開閉カバー部と、
　前記開閉カバー部に固定された第２の支持フレームに取付けるとともに、前記第１のカッター刃の刃先に対向して刃先を配して設けた固定刃である第２のカッター刃と、
　前記開閉カバー部に設けられた係合軸を介し、前記第２のカッター刃の刃先に対して回動自在に設けられ、前記開閉カバー部の開放時、前記第１の支持フレームより離反することにより前記第２のカッター刃の刃先に向けて自重で回動して刃先を覆うとともに、閉成時前記第１の支持フレームに当接することにより刃先から離反する方向に回動して第２のカッター刃の刃先を露出させるシャッター部材と、を有し、
　前記第１および第２のカッター刃の間に繰り出された帯状の印字媒体を、前記第１および第２のカッター刃を噛み合わせることにより切断することを特徴とするプリンタの切断装置。」（以下、請求項１に係る発明を「本願発明」という。）  
　  
第３．引用刊行物記載の発明  
　これに対して、当審での平成２４年７月６日付けの拒絶の理由に引用された、本願の出願前に頒布された下記刊行物には、以下の発明、あるいは事項が記載されていると認められる。 
　
　刊行物１：特開２０００−　５２２９１号公報
　刊行物２：特開平　　９−２２５８９４号公報
　刊行物３：特開平　　９−２９０３９３号公報（当審の拒絶理由通知にお　　　　　　ける刊行物５）
　　  
１．刊行物１
（１）刊行物１記載の事項 
　刊行物１には、「カッタ装置及びそれを用いたプリンタ」に関して、図面とともに、以下の事項が記載されている。  
　  
ア．特許請求の範囲の請求項１  
「【請求項１】記録紙の搬送路をはさむように刃部を対向させて配設され、分離可能な一対のカッタ刃と、
前記カッタ刃のうち所定のカッタ刃を支持した状態で前記カッタ刃の刃部同士が接近又は離隔する位置に移動可能な刃支持手段と、該刃支持手段が前記カッタ刃の刃部同士を離隔する位置のとき、所定のカッタ刃の刃部を固定された状態で遮蔽する遮蔽部を有する遮蔽手段とを備えたことを特徴とするカッタ装置。」 
　
イ．段落【０００２】
「【０００２】
【従来の技術】一般に、この種のプリンタにおいては、ロール紙から引き出された記録紙に対してサーマルヘッド等によって印字等を行った後、例えばレシート等として手渡すため、その記録紙を切断するためのカッタ装置が設けられている。」
　
ウ．【０００５】
「【０００５】図６に示すように、このカッタ装置１０１においては、本体フレーム１０３に可動刃１１０が設けられる一方、本体フレーム１０３に矢印Ｃ又はＤ方向に回動自在に支持されたカバーフレーム１０２に固定刃１０８が設けられ、カバーフレーム１０２が閉じられた状態で固定刃１０８に対して可動刃１１０を摺動させることによって記録紙を切断するように構成されている。」
　
エ．段落【００２６】
「【００２６】本実施の形態のプリンタ１は、例えばロール状の記録紙に対して感熱方式の印字ヘッドを用いて印字を行うもので、概ね前方側に設けられた印字部２と、後方側に設けられ記録紙を収納保持するための収納部３とから構成される。」
　 
オ．段落【００２８】
「【００２８】なお、収納部３のケース本体４の一方の側には、記録紙を取り出す際にカバーオープンレバー５を駆動してカバーフレーム８を回動させるためのオープンボタン６が設けられている。」
　
カ．段落【００３１】〜【００３５】 
「【００３１】図２に示すように、本実施の形態のプリンタ１においては、本体フレーム７の上に、開閉自在のカバーフレーム８と、後述の可動刃５４及びその駆動手段１０を収容するためのカッタユニットフレーム５０とが設けられる。
【００３２】図３〜図５に示すように、カッタ装置２０のカバーフレーム８は、本体フレーム７の両側部７ａの上端部に設けられた支軸９を中心として矢印Ｅ又はその反対方向へ回動開閉自在に支持されている。
【００３３】図３に示すように、本実施の形態のプリンタ１においては、カバーフレーム８の基部８Ａの表面のカッタユニットフレーム５０側の端部に固定刃５１が配置される。この固定刃５１は、例えば金属性の長板状の板状部材からなるもので、その刃部５１ａがカッタユニットフレーム５０に対向するように配置され、カバーフレーム８上に固定した２つの押えばね１３によって上方からカバーフレーム８の表面に押え付けられるようになっている。 
【００３４】また、固定刃５１の刃部５１ａとカッタユニットフレーム５０の本体５２の縁部５２ａとによって、記録紙を排出するためのスリット状の排紙口１５が形成されている。
【００３５】一方、カッタユニットフレーム５０の本体５２の底部５２ｂには、固定刃５１と共に記録紙Ｓを切断するための可動刃５４が設けられる。この場合、可動刃５４は、カッタユニットフレーム５０の一方の端部に設けた支軸５２ｂを中心として、図中矢印Ａ又はＢ方向へ回動自在に取り付けられている。」
　 
キ．段落【００４０】
「【００４０】（前略）・・・そして、カバーフレーム８の支持腕部８１ａの内側面には、後述するシャッター１５を案内支持するためのガイドピン８１ｂが突出形成されている。」
　
ク．段落【００４２】
「【００４２】そして、カバーフレーム８の支持腕部８１ａのガイドピン８１ｂとシャッター１５の両腕部１５ｂの長孔１５ａとを嵌合させた場合において、シャッター１５は、固定刃５１の長手方向と直交する方向（矢印Ｅ又はＦ方向）に揺動可能で、かつ、シャッター１５の両腕部１５ｂの長孔１５ａの長手方向に沿って矢印Ｇ又はＨ方向に移動できるようになっている。」
　
ケ．段落【００４８】  
「【００４８】このような構成を有する本実施の形態において、図３に示すように、カバーフレーム８を開いた場合には、シャッター１５は、引張りコイルばね１６の弾性力によって、カバーフレーム８の前方方向（矢印Ｅ方向）へ付勢されるとともに、下方の本体フレーム７側の方向（矢印Ｈ方向）へ付勢され、これによりシャッター１５の長孔１５ａの上縁部分がカバーフレーム８の支持腕部８１ａの係合ピン８１ｂと当接する。」 
　
コ．段落【００５１】〜【００５２】
「【００５１】一方、図４に示すように、カバーフレーム８を矢印Ｅ方向へ回転して閉じていくと、シャッター１５の両側部１５Ｂに設けられた案内部１５ｃが本体フレーム７の係合ピン１１と当接し、シャッター１５が矢印Ｇ方向へ移動する。その結果、シャッター１５の係止部１５ｅとカバーフレーム８の係止部８ｄとの係合が外れる。さらにカバーフレーム８を閉じていくと、シャッター１５はカバーフレーム８の係合ピン８１ｂを支点として矢印Ｆ方向へ回転していく。
【００５２】カバーフレーム８を更に閉じていくと、シャッター１５は矢印Ｆ方向に回転しながら引張コイルばね１６の力を受けて本体フレーム７側である矢印Ｈ方向へ移動する。そして、図５に示すように、完全にカバーフレーム８を閉じた状態においては、固定刃５１の刃部５１ａが露出する。」
　
サ．段落【００６１】
「【００６１】また、上述した実施の形態においては、カッタの形態をカッタ刃が鋏と同様に交叉摺動するタイプを用いて説明したが、可動刃が固定刃に対して平行に移動するものであっても構わなく、その場合、可動刃の刃先形状は略Ｖ字状の形状であってロール紙の両端側から中心側へ切断するように構成すると、小さな駆動力で切れ味のよいカッタ装置が得られることからより効果的である。」　 
　
（２）刊行物１記載の発明 
　上記摘記事項ウ．の「固定刃１０８に対して可動刃１１０を摺動させることによって記録紙を切断するように構成されている。」なる記載は従来の技術に関するものであるが、刊行物１の記載全体からみて、刊行物１の（図３ないし図５等に示された）「可動刃５４」と「固定刃５１」にも該当するものと認められ、固定刃５１に対して可動刃５４を摺動させることによって切断するものといえる。
　また、上記摘記事項カ．に「カッタユニットフレーム５０の本体５２の底部５２ｂには、・・・可動刃５４が設けられる」と記載されているところ、カッタユニットフレーム５０は本体フレーム７の上に設けられているものであること（上記摘記事項カ．）、また、上記摘記事項ウ．の従来技術に関する記載では「本体フレーム１０３に可動刃１１０が設けられる」とされていることから、「可動刃５４」は、本体フレーム７に設けられる、ものといい得る。
　
　さらに、上記摘記事項ケ．の「図３に示すように、カバーフレーム８を開いた場合には、シャッター１５は、引張りコイルばね１６の弾性力によって、カバーフレーム８の前方方向（矢印Ｅ方向）へ付勢される・・・」なる記載と、図３に示された矢印Ｅの方向と固定刃５１の刃部５１ａとの関係等を参酌すれば、シャッター１５は、カバーフレーム８の開放時、本体フレーム７より離反することにより固定刃５１の刃部５１ａに向けて引張りコイルばね１６の弾性力によって付勢されて回転するもの、と認められる。　　　
　また、上記摘記事項コ．の「図４に示すように、カバーフレーム８を矢印Ｅ方向へ回転して閉じていくと、・・・案内部１５ｃが本体フレーム７の係合ピン１１と当接し・・・さらにカバーフレーム８を閉じていくと、シャッター１５はカバーフレーム８の係合ピン８１ｂを支点として矢印Ｆ方向へ回転していく。」なる記載と、図４に示された矢印Ｆの方向と固定刃５１の刃部５１ａとの関係を参酌すれば、シャッター１５は、カバーフレーム８の閉成時、（その案内部１５ｃが）本体フレーム７に当接することにより固定刃５１の刃部５１ａから離反する方向に回転するもの、と認められる。
　
　そこで、刊行物１の上記摘記事項ア．ないしサ．を図面を参照しつつ技術常識を踏まえて本願発明に照らして整理すると、刊行物１には以下の発明が記載されていると認められる。    
「プリンタ１のケース本体４の記録紙を収納保持するための収納部３より排紙口側に引き出される記録紙側に刃先を向けて本体フレーム７に設けられるとともに、回動自在とした可動刃５４と、
　前記プリンタ１のケース本体４に対し開閉自在なカバーフレーム８と、
　前記カバーフレーム８に配置されるとともに、前記可動刃５４が摺動することによって記録紙を切断するための固定刃５１と、
　前記カバーフレーム８に設けられたガイドピン８１ｂを介し、前記固定刃５１の長手方向と直交する方向に揺動可能に設けられ、前記カバーフレーム８の開放時、前記本体フレーム７より離反することにより前記固定刃５１の刃部５１ａに向けて引張りコイルばね１６の弾性力によって付勢されて回転して前記固定刃５１の刃部５１ａを遮蔽するとともに、前記カバーフレーム８の閉成時、前記本体フレーム７に当接することにより前記固定刃５１の刃部５１ａから離反する方向に回転して前記固定刃５１の刃部５１ａを露出させるシャッター１５と、を有し、
　前記固定刃５１に対して前記可動刃５４を摺動させることによって前記記録紙を切断するプリンタのカッタ装置。」（以下、「刊行物１発明」という。）  
　
（３）刊行物１事項
　また、上記摘記事項ア．ないしサ．のうち、特に摘記事項サ．の「可動刃が固定刃に対して平行に移動するものであっても構わなく、その場合、可動刃の刃先形状は略Ｖ字状の形状であってロール紙の両端側から中心側へ切断するように構成すると」なる記載に着目して整理すると、刊行物１には以下の事項が記載されていると認められる。  
「可動刃が固定刃に対して平行に移動し、記録紙の両端側から中心側へ切断するように構成すること」（以下、「刊行物１事項」という。）
　  
２．刊行物２　  
　刊行物２には、「カッター刃の保護カバー」に関して、図面とともに、以下の事項が記載されている。  
　  
ア．段落【０００８】〜【０００９】  
「【０００８】図１に示すように、本実施の形態の保護カバーＡは、刃先５１を下に向けて立設されたカッター刃５の裏側に間隔を隔てて略垂直に立設された第１側壁１と、カッター刃５の表側に間隔を隔てて外側方向に傾斜をもって設けられた第２側壁２と、第１側壁１と第２側壁２とを連結し、カッター刃５の刃先５１の下方に配置された底部３とからなる。
【０００９】第１側壁１の上端部には挿通孔１２が設けられ、図２及び図３に示すように、軸支軸６２を挿通させ切断装置６の取付腕６１に揺動可能に取り付けられ、カッター刃５と反対の外側方向に持ち上げることができるように設けられている。」  
　
イ．段落【００１２】
「【００１２】次に、本実施の形態の保護カバーの作動について説明する。図２に示すように、切断作業をしない場合は保護カバーＡを下げてカッター刃５の刃先５１を覆うようにする。この保護カバーＡで覆ったカッター刃５へ各方向から人体や機材などが接近しても、刃先５１に触れることはない。すなわち、裏側方向からの場合は第１側壁１により、表側方向からの場合は第２側壁２により、下方からの場合は底部３により、両側面方向からの場合は側部２１、２２によりそれぞれ保護される。」
　  
　上記摘記事項ア．における「軸支軸６２を挿通させ切断装置６の取付腕６１に揺動可能に取り付けられ」なる記載、及び図２並びに図３から技術常識を踏まえれば、保護カバーＡは、切断作業をしない場合は、自重により回動して刃先を覆うものと認められる。
　そこで、上記摘記事項ア．及びイ．を図面を参照しつつ整理すると、刊行物２には以下の事項が記載されていると認める。  
「切断作業をしない場合は、カッター刃の刃先に向けて自重で回動して刃先を覆うカッター刃の保護カバー」（以下、「刊行物２事項」という。）  
　
３．刊行物３　  
　刊行物３には、「連続紙をカッタを有する発行口から発行するプリンタ」（請求項１）に関して、図面とともに、以下の事項が記載されている。  
　  
ア．段落【００１３】
「【００１３】前記カッタ３６上には、保護板４２が配置されている。前記カッタ３６の左右両端には、凸部４３が形成されている。前記保護板４２は、断面が略Ｌ字型となるように形成されている。前記保護板４２の後端（図１中、右上）には、前記凸部４３と係合する係合部４４が形成されている。前記凸部４３と前記係合部４４とにより回動軸４５が構成されている。前記保護板４２は、前記カッタ３６に対し前記回動軸４５を中心として回動自在に取り付けられている。前記保護板４２の先端は、前記保護板４２の下面が前記カッタ３６に当接する状態で前記刃３８の先端よりも前記印字用紙１１の搬送方向前方へ突出するように形成されている。前記保護板４２は、自重によって前記カッタ３６に当接するように形成され、前記カッタ３６の刃３８を覆う第一の位置に配置されている。前記保護板４２は、連続紙が切り取られるとき連続紙によって押されて前記カッタ３６の刃４８から離れ、カッタ３６の刃３８を露出させる第二の位置に移動するように形成されている。前記保護板４２の表面には、前記カッタ３６の刃３８に触れないように使用者に注意を促す「カッタ注意」という文言がシール等により記されている（図８参照）。」  
　
　上記摘記事項ア．を図面を参照しつつ整理すると、刊行物３には以下の事項が記載されていると認める。  
「切り取り時でない場合は、カッタ３６の刃３８に向けて自重で回動して刃３８を覆うカッタ３６の保護板４２」（以下、「刊行物２事項」という。）
　
４．周知事項Ａ
　刊行物２事項及び刊行物３事項のような事項は、従来周知の事項といえ、これを本願発明の用語に倣って以下のように表現し、「周知事項Ａ」という。
　周知事項Ａ：「切断に必要でない時は、カッター刃の刃先に向けて自重で回動して刃先を覆うカッター刃のシャッター部材」
　　  
第４．対比  
　本願発明と刊行物１発明とを対比すると以下のとおりである。  
　刊行物１発明の「プリンタ１のケース本体４」が本願発明の「プリンタ本体」に相当することは、技術常識に照らして明らかであり、以下同様に、「記録紙を収納保持するための収納部３」は「媒体供給部」に、「排紙口側」は「発行口側」に、「引き出される」は「繰り出される」に、「記録紙」は「帯状の印字媒体」に、「設けられる」は「取り付けらる」に、「ガイドピン８１ｂ」は「係合軸」に、「刃の長手方向と直交する方向に揺動可能に設けられ」は「刃先に対して回動自在に設けられ」に、「回転」は「回動」に、「遮蔽する」は「覆う」に、「シャッター１５」は「シャッター部材」、「カッタ装置」は「切断装置」にそれぞれ相当することも明らかである。  
　
　また、刊行物１発明の「可動刃５４」は、本願発明の「可動刃である第１のカッター刃」または「第１のカッター刃」に相当し、同様に刊行物１発明の「固定刃５１」は、本願発明の「固定刃である第２のカッター刃」または「第２のカッター刃」に相当する。
　また、刊行物１発明の「本体フレーム７」は、本願発明の「プリンタ本体の第１の支持フレーム」または「第１の支持フレーム」に相当し、刊行物１発明の「カバーフレーム８」は、本願発明の「開閉カバー部」に相当するとともに「開閉カバー部に固定された第２の支持フレーム」にも相当するといえる。
　さらに、刊行物１発明の「固定刃５１の刃部５１ａ」は、本願発明の「第２のカッター刃の刃先」または「刃先」に相当する。
　
　そして、刊行物１発明の「固定刃５１に対して可動刃５４を摺動させることによって記録紙を切断する」ことと本願発明の「第１および第２のカッター刃の間に繰り出された帯状の印字媒体を、前記第１および第２のカッター刃を噛み合わせることにより切断すること」とは、上記の対応関係も踏まえ、第１および第２のカッター刃により帯状の印字媒体を切断すること、である限りにおいて共通する。　  
　
　したがって、本願発明と刊行物１発明とは、以下の点で一致しているということができる。 
＜一致点＞  
「プリンタ本体の媒体供給部より発行口側に繰り出される帯状の印字媒体側に刃先を向けてプリンタ本体の第１の支持フレームに取り付けられる可動刃である第１のカッター刃と、
　前記プリンタ本体に対し開閉自在な開閉カバー部と、
　前記開閉カバー部に固定された第２の支持フレームに取り付ける固定刃である第２のカッター刃と、
　前記開閉カバー部に設けられた係合軸を介し、前記第２のカッター刃の刃先に対して回動自在に設けられ、前記開閉カバー部の開放時、前記第１の支持フレームより離反することにより前記第２のカッター刃の刃先に向けて回動して刃先を覆うとともに、閉成時前記第１の支持フレームに当接することにより刃先から離反する方向に回動して第２のカッター刃の刃先を露出させるシャッター部材と、を有し、
　前記第１および第２のカッター刃により帯状の印字媒体を切断するプリンタの切断装置。」  
　
  　そして、本願発明と刊行物１発明とは、以下の２点で相違している。  
１．＜相違点１＞  
　本願発明は、第１のカッター刃を進退動自在とし、第１のカッター刃の刃先に対向して刃先を配した第２のカッター刃を有し、第１および第２のカッター刃の間に繰り出された帯状の印字媒体を、前記第１および第２のカッター刃を噛み合わせることにより切断するのに対し、 
　刊行物１発明は、可動刃５４（第１のカッター刃）を回動自在とし、可動刃５４が摺動することによって記録紙（帯状の印字媒体）を切断するための固定刃５１（第２のカッター刃）を有し、固定刃５１に対して可動刃５４を摺動させることによって記録紙を切断するものである点。 
　
２．＜相違点２＞  
　本願発明においては、シャッター部材は、自重で回動して刃先を覆うのに対し、刊行物１発明においては、シャッター１５（シャッター部材）は、引張りコイルばね１６の弾性力によって付勢されて回転（回動）して固定刃５１の刃部５１ａ（刃先）を遮蔽する（覆う）ものである点。  
　　  
第５．相違点の検討  
１．＜相違点１＞について 
　上記第３．１．（３）にて指摘したように、刊行物１事項は、
「可動刃が固定刃に対して平行に移動し、記録紙の両端側から中心側へ切断するように構成すること」であるところ、これを上記第４．で指摘した対応関係に基づき本願発明の用語に倣って表現すれば、刊行物１事項は、
「第１のカッター刃が第２のカッター刃に対して平行に移動し、帯状の印字媒体の両端側から中心側へ切断するように構成すること」、と言い換えることができる。
　そして、刊行物１事項と刊行物１発明はともに同一刊行物に記載されており、しかも刊行物１事項は、刊行物１発明の代替実施例の示唆として記載されているものであるから（上記摘記事項第２．１．（１）サ．）、刊行物１事項を刊行物１発明に適用することに困難性はない。
　そうしてみると、刊行物１発明に刊行物１事項を適用することにより、回動する第１のカッター刃を固定刃５１に対して摺動させることに換え、第１のカッター刃が第２のカッター刃に対して平行に移動して帯状の印字媒体の両端側から中心側へ切断する、すなわち、第１のカッター刃を進退自在として、第１および第２のカッター刃の間に繰り出された帯状の印字媒体を、前記第１および第２のカッター刃を噛み合わせることにより切断するように構成して、相違点１に係る本願発明の構成とすることは、当業者が容易に想到し得るところである。
　  
２．＜相違点２＞について
　上記第２．４にて指摘したように、周知事項Ａは「切断に必要でない時は、カッター刃の刃先に向けて自重で回動して刃先を覆うカッター刃のシャッター部材」というものである。
　ところで、一般に部品を所定の向きに動かそうとする場合、自重を利用して動かすこと、及び、ばねの弾性力によって動かすことは、いずれも広く行われている慣用手段であり、適用条件さえ整えば、いずれを採用するかは適宜選択し得ることである。
　したがって、自重を利用してカッター刃のシャッター部材を回動させて覆う周知事項Ａを刊行物１発明に適用することは、自重を利用できるという条件さえ整えば、保持機構が不要であり製造コスト低減に寄与するから、当業者が容易に試み得ることといえる。
　ここで、自重を利用してカッター刃のシャッター部材を回動させるためには。カッター刃は（水平ではなく）鉛直方向等に配置されていることが必要となるが、刊行物１発明において、固定刃５１と可動刃５４をともに鉛直方向に配置することは、機器内の配置上の条件等を勘案して当業者が適宜選択し得る事項に過ぎない。そして、その場合は自重を利用できる条件が整うから、周知事項Ａを適用して、シャッター部材を、ばねの弾性力に換え自重により回動して刃先を覆うようにすることは、容易である。
　したがって、刊行物１発明に従来事項Ａを適用し、（切断に必要でない時には）シャッター部材は、自重で回動して刃先を覆うようにして、相違点２に係る発明特定事項を本願発明のものとすることは、当業者が容易に想到し得るものというのが相当である。 　 
　  
３．本願発明の効果について  
　上記相違点１及び相違点２を総合勘案しても、刊行物１発明、刊行物１事項及び従来周知の事項から当業者であれば予測できない格別な効果が生じるとは考えられない。　
　
４．したがって、本願発明は、刊行物１発明、刊行物１事項及び上記従来周知の事項に基づいて当業者が容易に発明をすることができたものである。  
　  
第６．むすび  
　以上のとおり、本願発明は、刊行物１発明、刊行物１事項及び従来周知の事項に基づいて、当業者が容易に発明をすることができたものであるから、特許法第２９条第２項の規定により特許を受けることがないものである。  
　したがって、本願は拒絶されるべきものである。  
　よって、結論のとおり審決する。